(57)【要約】【課題】リュック本体部２の収納容量を維持しつつ、ボール４０をリュックサック１内に安全に収納することができるリュックサック１を提供する。【解決手段】本発明のリュックサック１は、上側に開閉口が形成されているリュック本体部２と、リュック本体部２に接続されており、開閉口を覆っている第１蓋部１０と、リュック本体部２と第１蓋部１０を着脱自在に連結している第１連結具３１と、開閉口と第１蓋部１０の間に設けられており、少なくとも一部がメッシュ生地である第２蓋部２０と、第１蓋部１０と第２蓋部２０を着脱自在に連結している第２連結具と、を有している。【選択図】図４
2019187916.tif 000002
【特許請求の範囲】
【請求項１】
上側に開閉口が形成されているリュック本体部と、
前記リュック本体部に接続されており、前記開閉口を覆っている第１蓋部と、
前記リュック本体部と前記第１蓋部を着脱自在に連結している第１連結具と、
前記開閉口と前記第１蓋部の間に設けられており、少なくとも一部がメッシュ生地である第２蓋部と、
前記第１蓋部と前記第２蓋部とを着脱自在に連結している第２連結具と、を有していることを特徴とするリュックサック。
【請求項２】
前記第１蓋部は、前記開閉口を覆ったときに外側に配される表面と、該表面と反対側であって、内側に配される裏面を有しており、
前記第２蓋部が、前記第１蓋部の前記裏面に接合されている請求項１に記載のリュックサック。
【請求項３】
前記第１蓋部の前記裏面にポケットが設けられている請求項２に記載のリュックサック。
【請求項４】
前記第１蓋部は、マチ部を有している請求項１〜３のいずれか一項に記載のリュックサック。
【請求項５】
前記第１連結具と前記第２連結具の色が異なっている請求項１〜４のいずれか一項に記載のリュックサック。
【請求項６】
前記第１連結具よりも前記第２連結具が大きい請求項１〜５のいずれか一項に記載のリュックサック。
【請求項７】
前記第２蓋部の周縁部に、前記メッシュ生地よりも伸長応力が小さい編布地が配されている請求項１〜６のいずれか一項に記載のリュックサック。
【請求項８】
前記第１連結具は、前記第１蓋部に接続されている第１係止受部材と、前記リュック本体部に接続されており、前記第１係止受部材と係合する第１係止部材と、を有し、
前記第２連結具は、前記第１蓋部に接続されている第２係止受部材と、前記第２蓋部に接続されており、前記第２係止受部材と係合する第２係止部材と、を有し、
前記第１係止受部材は、前記第２係止受部材よりも前記第１蓋部の周縁側に配されている請求項１〜７のいずれか一項に記載のリュックサック。
【発明の詳細な説明】
【技術分野】
【０００１】
本発明は、スポーツ用具、特に球技に必要なボールを好適に収納することができるリュックサックに関する。
【背景技術】
【０００２】
ボールを使用するスポーツにおいて、競技に必要な道具を持ち運ぶ際、着替えやタオル等の衣類、弁当や水筒等の飲食物を入れるためのリュックサックや肩掛け鞄とは別に携行する、ボールを入れるための手提げのバッグ、ケース、ネットが知られている。しかし、このようなバッグは片手が空かないため不便であり、また、バッグを床等に置いたときに安定しないものもあり、ボールが意図しない方向に転がっていくことがある。
【０００３】
そこで、特許文献１に示されているように、リュックサック本体にサッカーボールを収容可能なリュックサックが提案されている。また、リュックサックの外側（背側と反対側）にボールを収納するためのネットが取り付けられているリュックサックも知られている。
【先行技術文献】
【特許文献】
【０００４】
【特許文献１】実用新案登録第３０１４４３４号公報
【発明の概要】
【発明が解決しようとする課題】
【０００５】
しかし、特許文献１に示されているリュックサックでは、リュック本体部にボールを収納する構造になっているため、他の荷物を収納するための容量が減るおそれがある。また、リュック本体部の外側にボール収納用のネットが取り付けられたリュックサックは、その構造上、使用者の前後方向に膨らんでしまうため、リュックサックが他人と接触しやすくなったり、リュックサックの本来の形状が崩れるため美観を損ねたりする場合もある。
【０００６】
そこで本発明はリュック本体部の収納容量を維持しつつ、ボールをリュックサック内に安全に収納することができるリュックサックを提供することを目的とする。
【課題を解決するための手段】
【０００７】
上記目的を達成し得た本発明のリュックサックとは、上側に開閉口が形成されているリュック本体部と、リュック本体部に接続されており、開閉口を覆っている第１蓋部と、リュック本体部と第１蓋部を着脱自在に連結している第１連結具と、開閉口と第１蓋部の間に設けられており、少なくとも一部がメッシュ生地である第２蓋部と、第１蓋部と第２蓋部とを着脱自在に連結している第２連結具と、を有している点に要旨を有するものである。本発明のリュックサックは、第１蓋部と第２蓋部との間にボールを収納することができる。このため、リュックサック内にボールを収納しつつ、リュック本体部の収納容量を維持することができる。また、第２蓋部が開閉口と第１蓋部の間に設けられていることにより、リュック本体部の開閉口から物を出し入れしている時であっても、ボールを第１蓋部と第２蓋部との間に安全に保持することができる。
【０００８】
第１蓋部は、開閉口を覆ったときに外側に配される表面と、該表面と反対側であって、内側に配される裏面を有しており、第２蓋部が、第１蓋部の裏面に接合されていることが好ましい。このように第２蓋部が設けられていることにより、第１蓋部と第２蓋部との間にボールを収納した状態であっても、リュック本体部の開閉口の開閉を妨げにくく、リュック本体部への物の出し入れが行いやすくなる。
【０００９】
第１蓋部の裏面にポケットが設けられていることが好ましい。これにより、第１蓋部の裏面のポケットに第２蓋部を収納することができる。そのため、リュックサックにボールを収納しない場合に、第２蓋部がリュック本体部の開閉口に被さる等してリュック本体部への物の出し入れを妨げることを防止できる。
【００１０】
第１蓋部は、マチ部を有していることが好ましい。これにより、第１蓋部がボールの形状に沿いやすくなり、ボールを十分に把持することができる。そのため、リュックサックからボールが外れて落下することを防止できる。
【００１１】
第１連結具と第２連結具の色が異なっていることが好ましい。これにより、第１連結具と第２連結具を誤って連結することを防げる。
【００１２】
第１連結具よりも第２連結具が大きいことが好ましい。これにより、第１連結具と第２連結具を誤って連結することを防げる。
【００１３】
第２蓋部の周縁部に、メッシュ生地よりも伸長応力が小さい編布地が配されていることが好ましい。編布地が配されることにより、第２蓋部がボールの形状に沿いやすくなるためボールを保持しやすくなり、ボールがリュックサックから外れることを防ぐことができる。
【００１４】
第１連結具は、第１蓋部に接続されている第１係止受部材と、リュック本体部に接続されており、第１係止受部材と係合する第１係止部材と、を有し、第２連結具は、第１蓋部に接続されている第２係止受部材と、第２蓋部に接続されており、第２係止受部材と係合する第２係止部材と、を有し、第１係止受部材は、第２係止受部材よりも第１蓋部の周縁側に配されていることが好ましい。これにより、第１連結具と第２連結具を誤って連結することを防げる。また、第１蓋部と第２蓋部とでボールを十分に保持することができ、リュックサックからボールが外れにくくすることができる。
【発明の効果】
【００１５】
本発明のリュックサックによれば、第１蓋部と第２蓋部の間に、例えばサッカーボールを収納する空間を形成し、第１蓋部と第２蓋部でボールを挟持することができる。このため、リュック本体部の収納容量を維持しつつ、リュックサック内にボールを収納することができる。さらに、本発明のリュックサックは、第２蓋部が開閉口と第１蓋部の間に設けられているため、リュック本体部の開閉口から物を出し入れしている時でも、ボールを第１蓋部と第２蓋部との間に安全に保持することができる。
【図面の簡単な説明】
【００１６】
【図１】本発明の実施の形態に係るリュックサックの第１蓋部を閉じた状態の正面図を表す。
【図２】本発明の実施の形態に係るリュックサックの第１蓋部を開けた状態の正面図を表す。
【図３】本発明の実施の形態に係るリュックサックにボールを収容して、第１蓋部を閉じた状態の側面図を表す。
【図４】本発明の実施の形態に係るリュックサックにボールを収容して、第１蓋部を閉じた状態の正面図を表す。
【発明を実施するための形態】
【００１７】
以下、本発明に係るリュックサックに関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１８】
本発明においてリュックサックは、特に球技に必要なボールを収納するのに好適な肩に背負う鞄であるが、スポーツ用具に限られず、登山用具を収納してもよい。
【００１９】
本発明の各布地は、例えば織物、編物、不織布、これらに樹脂が積層された材料から構成される。本発明の布地を構成する繊維としては、例えば、綿・絹等の天然繊維、ポリエステル・ポリエチレン・ナイロン等の合成繊維が挙げられる。
【００２０】
本発明においてリュックサックの背面側とは、リュックサックを背負ったときに使用者の前後方向において背中側を意味し、リュックサックの前面側とは、上記前後方向において、該背面と反対側であって外側に配される側を意味する。また、リュックサックの上側とは、リュックサックを背負ったときの使用者の頭側を意味し、リュックサックの下側とは、使用者の足側を意味する。さらに、リュックサックの左右方向とは、リュックサックを背負ったときの使用者の左右方向を意味する。
【００２１】
図１〜図２は、本発明の実施の形態に係るリュックサック１の正面図を表している。なお、図１は第１蓋部１０を閉じた状態を表し、図２は第１蓋部１０を開けた状態を表している。図３〜図４は、本発明の実施の形態に係るリュックサック１にボール４０を収容して第１蓋部１０を閉じた状態の図を表しており、図３は側面図を表し、図４は正面図を表している。
【００２２】
本発明のリュックサック１は、上側に開閉口３が形成されているリュック本体部２と、リュック本体部２に接続されており、開閉口３を覆っている第１蓋部１０と、リュック本体部２と第１蓋部１０を着脱自在に連結している第１連結具３１と、開閉口３と第１蓋部１０の間に設けられており、少なくとも一部がメッシュ生地である第２蓋部２０と、第１蓋部１０と第２蓋部２０を着脱自在に連結している第２連結具３２と、を有している。
【００２３】
リュック本体部２の内部には荷物を収納することが可能になっている。リュック本体部２の上側に開閉口３が形成されていることにより、開閉口３を通じて荷物を出し入れすることができる。リュック本体部２には、ボール以外のスポーツ用具の他、着替えやタオル等の衣類、弁当や水筒等の飲食物が好ましく収納される。
【００２４】
リュック本体部２への荷物の出し入れを容易にするために、リュック本体部２の内部は、複数の区画に仕切られていてもよい。このため、開閉口３が複数設けられていてもよい。
【００２５】
リュック本体部２を正面から見たときに、リュック本体部２は使用者の前後方向および左右方向よりも上下方向が長く形成されていてもよい。つまり、リュック本体部２は縦長形状に形成されていてもよい。
【００２６】
開閉口３を開閉する方法は特に限定されないが、面ファスナーや線ファスナーによって開閉口３の一方側と他方側を互いに連結することで開閉する方法や、開閉口３の周縁に紐を輪状に通して、紐を縛ったり緩めたりすることで開閉する方法が挙げられる。開閉口３は、中でも、周縁に紐を輪状に通して開閉する構成であることが好ましい。開閉口３がこのように構成されていることにより、開閉口３を容易かつ早急に開閉することができ、リュック本体部２への荷物の出し入れが容易となる。
【００２７】
第１蓋部１０は、リュック本体部２に接続されており、開閉口３を覆っているものである。使用者はたとえ開閉口３を閉めなくても、第１蓋部１０で開閉口３を覆うことで開閉口３を隠すことができるため、第三者にリュック本体部２に収納している荷物を見られたり盗まれたりすることを抑制でき、リュックサック１の防犯性を高めることができる。
【００２８】
リュック本体部２と第１蓋部１０を構成する布地が同じであってもよい。つまり、第１蓋部１０がリュック本体部２を構成する布地の一部であることにより、第１蓋部１０がリュック本体部２とひと続きに形成されていてもよい。また、リュック本体部２に、第１蓋部１０用の別の布地が接合されていてもよい。
【００２９】
第１連結具３１は、リュック本体部２と第１蓋部１０を着脱自在に連結している。図１に示すように、第１連結具３１は、好ましくはリュックサック１の前面側に設けられる。第１連結具３１を解除することにより、第１蓋部１０を開けて、リュック本体部２の開閉口３から荷物を取り出すことができる。また、第１連結具３１を閉めることにより、第１蓋部１０によって開閉口３が覆われる。
【００３０】
本発明のリュックサック１は、開閉口３と第１蓋部１０の間に設けられている第２蓋部２０と、第１蓋部１０と第２蓋部２０を着脱自在に連結している第２連結具３２を有している。このような位置に第２蓋部２０を設けて、第２連結具３２によって第１蓋部１０と第２蓋部２０を連結することにより、第１蓋部１０と第２蓋部２０の間にボール４０を収納する空間を形成することができるため、第１蓋部１０と第２蓋部２０でボール４０を挟持することができる。このため、リュック本体部２の収納容量を維持しつつ、リュックサック１（具体的には第１蓋部１０）にボール４０を収納することができる。また、第１蓋部１０と第２蓋部２０でボール４０を保持した状態で、リュック本体部２の開閉口３から荷物を取り出すことができるため、荷物の取り出し時にボール４０がリュックサック１から外れることがなく、小学校の低学年の者であっても安全にボール４０を持ち運ぶことができる。
【００３１】
第２蓋部２０は、少なくとも一部がメッシュ生地である。第２蓋部２０の少なくとも一部がメッシュ生地であることにより、第２蓋部２０が伸縮しやすくなるため、第２蓋部２０がボール４０の形状に沿いやすくなる。このため、第１蓋部１０と第２蓋部２０でボール４０をより一層挟持しやすくなる。また、メッシュ生地であることにより、第１蓋部１０と第２蓋部２０でボール４０を挟持した状態でも、ボール４０に付着した砂や土等の異物を払い落とすことができる。
【００３２】
リュック本体部２および第１蓋部１０を構成する布地は、例えば織物、編物、不織布、これらに樹脂が積層された材料から構成される。布地を構成する繊維としては、例えば、綿・絹等の天然繊維、ポリエステル・ポリエチレン・ナイロン等の合成繊維が挙げられる。リュック本体部２を構成する布地は、合成繊維の織物であることが好ましい。リュック本体部２および第１蓋部１０の布地がこのように構成されていることにより、リュックサック１の耐久性を高めることができる。なお、第１蓋部１０は開閉口３を覆う目的で設けられることから、メッシュ生地ではなく、例えば、ナイロン等の合成繊維の織物であることが好ましい。
【００３３】
第２蓋部２０を構成するメッシュ生地の編組織の種類は特に限定されないが、例えば、シングルラッセル、ダブルラッセルを用いることができる。
【００３４】
第１連結具３１や第２連結具３２としては、一方側と他方側を脱着するための留め具が取り付けられた調節ベルトを用いることができる。留め具としては、サイドリリースバックル、フロントリリースバックル等のバックル、ループアンドフックファスナー等の面ファスナー、スライドファスナー等の線ファスナー、スナップボタンやホック等を用いることができる。留め具は、中でもバックルであることが好ましい。留め具がバックルであることにより、第１連結具３１や第２連結具３２を着脱することが容易となる。
【００３５】
一のリュックサック１に対して、第１連結具３１と第２連結具３２は、それぞれ１つのみ設けられていてもよく、複数設けられていてもよい。例えば、第１連結具３１と第２連結具３２は、左右に１つずつ設けられていることが好ましい。第１連結具３１と第２連結具３２がこのように構成されていることにより、リュック本体部２と第１蓋部１０、および第１蓋部１０と第２蓋部２０をそれぞれ強固に閉じることができる。
【００３６】
第１蓋部１０は、開閉口３を覆ったときに外側に配される表面と、該表面と反対側であって、内側に配される裏面を有しており、第２蓋部２０が、第１蓋部１０の裏面に接合されていることが好ましい。これにより、第１蓋部１０と第２蓋部２０との間にボール４０を収納した状態において、第２蓋部２０がリュック本体部２の開閉口３に干渉しにくくなる。そのため、リュック本体部２の開閉口３から荷物を取り出す際であっても第１蓋部１０と第２蓋部２０との間にボール４０を保持できるため、小学校の低学年の者であっても安全にボール４０を持ち運ぶことができる。
【００３７】
第２蓋部２０を第１蓋部１０の裏面に接合する方法としては、第１蓋部１０の表地と裏地の間に、第２蓋部２０を配置して、第２蓋部２０を第１蓋部１０（具体的には、第１蓋部１０の表地）に縫合、接着剤による接着、熱圧着する方法が挙げられる。中でも、第２蓋部２０は第１蓋部１０に縫合されていることが好ましい。第２蓋部２０が第１蓋部１０にこのように接合されていることにより、接合が容易であり、また、接合強度を高めることができる。
【００３８】
図２では、第２蓋部２０が第１蓋部１０のうち開閉口３に近い側に接合されている例を示したが、この態様に限定されず、第２蓋部２０は第１蓋部１０のうち開閉口３から遠い側に接合されていてもよい。
【００３９】
図２に示すように、第１蓋部１０の裏面にポケット１２が設けられていることが好ましい。これにより、ボール４０をリュックサック１に収納しない場合に、第２蓋部２０を第１蓋部１０のポケット１２に収納することができる。第１蓋部１０のポケット１２からの第２蓋部２０のはみ出しを防ぐために、第１蓋部１０のポケット１２の開閉部には線ファスナーまたは面ファスナーが設けられていてもよい。
【００４０】
第１蓋部１０は、マチ部を有していることが好ましい。第１蓋部１０がこのように構成されていることにより、第１蓋部１０が立体的な形状となり、第１蓋部１０の内部にボール４０を収めることができる。その結果、第１蓋部１０と第２蓋部２０との間にボール４０を安定して収容でき、リュックサック１からボール４０が外れにくくすることができる。
【００４１】
第２蓋部２０の周縁部２１の一部（好ましくは、第２蓋部２０の周縁部２１のうち、左右の一方側）が、第１蓋部１０の裏面に固定されていてもよい。この場合、第２蓋部２０の周縁部２１のうち、第１蓋部１０に固定されている側と反対側（左右の他方側）に、第２連結具３２が配置されていることが好ましい。第２蓋部２０がこのように構成されていることにより、第１蓋部１０と第２蓋部２０との間にボール４０を収納した際に、ボール４０がリュックサック１から外れて落下しにくくすることができる。
【００４２】
第１連結具３１は、第１蓋部１０に接続されている第１係止受部材３１Ａと、リュック本体部２に接続されており、第１係止受部材３１Ａと係合する第１係止部材３１Ｂとを有し、第２連結具３２は、第１蓋部１０に接続されている第２係止受部材３２Ａと、第２蓋部２０に接続されており、第２係止受部材３２Ａと係合する第２係止部材３２Ｂとを有していることが好ましい。
【００４３】
具体的には、第１係止受部材３１Ａと第２係止受部材３２Ａは、帯状に形成されているベルト部３１Ａａ、３２Ａａと、ベルト部３１Ａａ、３２Ａａに接続されている係止受部３１Ａｂ、３２Ａｂと、をそれぞれ有していることが好ましい。また、第１係止部材３１Ｂと第２係止部材３２Ｂは、帯状に形成されているベルト部３１Ｂａ、３２Ｂａと、ベルト部３１Ｂａ、３２Ｂａに接続されている係止部３１Ｂｂ、３２Ｂｂと、をそれぞれ有していることが好ましい。図１〜図２では、第１係止受部材３１Ａのベルト部３１Ａａと第２係止受部材３２Ａのベルト部３２Ａａが、第１蓋部１０の裏面に接続されており、第１係止部材３１Ｂのベルト部３１Ｂａがリュック本体部２の前面に接続されており、第２係止部材３２Ｂのベルト部３２Ｂａが第２蓋部２０の周縁部２１に接続されている。
【００４４】
図２に示すように、第１係止受部材３１Ａは、第２係止受部材３２Ａよりも第１蓋部１０の周縁側に配されていることが好ましい。詳細には、第１係止受部材３１Ａの係止受部３１Ａｂが、第２係止受部材３２Ａの係止受部３２Ａｂよりも、第１蓋部１０の周縁部１１側に配置されていることがより好ましい。このように第１連結具３１と第２連結具３２を配置することにより、第１連結具３１によって第１蓋部１０とリュック本体部２を連結したときに、第１蓋部１０で第２連結具３２が隠れるため、第２連結具３２が外側に露出しにくくなる。
【００４５】
第１係止受部材３１Ａと第１係止部材３１Ｂを連結した状態において、リュックサック１の上下方向にて、ボール４０の収納状態では、第２蓋部２０の下端が第１蓋部１０の下端よりも下側に配置され、ボール４０の非収納状態では、第２蓋部２０の下端が第１蓋部１０の下端よりも上側に配置されていることが好ましい。このように第１連結具３１を連結した状態での第１蓋部１０と第２蓋部２０の位置関係を設定することにより、第１蓋部１０と第２蓋部２０の間にボール４０を収納しても第１蓋部１０が下側に引っ張られにくくなるため、第１蓋部１０で開閉口３を覆いやすくなる。
【００４６】
第１蓋部１０が織地から構成されており、第１蓋部１０の周縁部１１に、織物よりも伸長応力が小さい編布地（以下、「第１編布地」という）が配されていることが好ましい。これにより、第１蓋部１０がボール４０の形状に沿いやすくなるため、第１蓋部１０と第２蓋部２０でボール４０を保持しやすくなり、第１蓋部１０と第２蓋部２０の間からボール４０が外れることを防止できる。なお、第１編布地は、第１蓋部１０の周縁部１１のうちリュック本体部２に接合されていない部分に配されていることが好ましい。
【００４７】
第２蓋部２０の周縁部２１に、メッシュ生地よりも伸長応力が小さい編布地（以下、「第２編布地」という）が配されていることが好ましい。これにより、第２蓋部２０がボール４０の形状に沿いやすくなるため、第１蓋部１０と第２蓋部２０でボール４０を挟持しやすくなり、ボール４０が第１蓋部１０と第２蓋部２０の間から外れることを防ぐことができる。なお、第２編布地は、第２蓋部２０の周縁部２１のうちリュック本体部２に接合されていない部分に配されていることが好ましい。
【００４８】
第１編布地は、第１蓋部１０の周縁から５ｃｍ以内の位置に設けられることが好ましく、４ｃｍ以内の位置に設けられることがより好ましく、３ｃｍ以内の位置に設けられることがさらに好ましい。同様に、第２編布地は、第２蓋部２０の周縁から５ｃｍ以内の位置に設けられることが好ましく、４ｃｍ以内の位置に設けられることがより好ましく、３ｃｍ以内の位置に設けられることがさらに好ましい。第１編布地や第２編布地がこのような位置に設けられることにより、第１蓋部１０と第２蓋部２０がボール４０の形状にさらに沿いやすくなり、第１蓋部１０と第２蓋部２０の間からボール４０が外れにくくすることができる。
【００４９】
第２蓋部２０の第２編布地に、第２係止受部材３２Ａまたは第２係止部材３２Ｂが接続されていることが好ましい。これにより、メッシュ生地が形崩れすることを防止できる。また、第２係止受部材３２Ａや第２係止部材３２Ｂに荷重が加わった際に、メッシュ生地が破損しにくくなる。
【００５０】
第２蓋部２０とリュック本体部２を誤って連結することを防ぐために、リュックサック１は以下の構成を有していてもよい。
【００５１】
第１連結具３１と第２連結具３２の色が異なっていることが好ましい。第１連結具３１と第２連結具３２の色が異なっていれば、第１蓋部１０や第２蓋部２０の連結先を視覚的に分かりやすくすることができる。ここで、第１連結具３１と第２連結具３２の色が異なっているとは、第１連結具３１を構成する部材（例えば、第１係止受部材３１Ａと第１係止部材３１Ｂ）の少なくとも一部と、第２連結具３２を構成する部材（例えば、第２係止受部材３２Ａと第２係止部材３２Ｂ）の少なくとも一部が、ＪＩＳ  Ｚ８７２１で定める色相、明度、および彩度の少なくとも１つ異なっていることを意味する。
【００５２】
また、第１連結具３１と第２連結具３２の大きさが異なっていることが好ましい。中でも、第１連結具３１が第２連結具３２よりも大きいことが好ましい。詳細には、第１係止受部材３１Ａが第２係止受部材３２Ａよりも大きく、第１係止部材３１Ｂが第２係止部材３２Ｂよりも大きいことが好ましい。このように第１連結具３１と第２連結具３２の大きさが異なることにより、第１連結具３１を構成する部材と、第２連結具３２を構成する部材は互いに係合しないため、第１蓋部１０や第２蓋部２０の連結先を感覚的に分かりやすくすることができる。
【００５３】
第１連結具３１と第２連結具３２の大きさが異なっているとは、少なくとも第１連結具３１を構成する部材が、第２連結具３２を構成する部材と係合しないことを意味する。
【００５４】
さらに別の態様として、第１連結具３１の第１係止受部材３１Ａと第１係止部材３１Ｂに同じ数字、記号、図形またはこれらの組み合わせを付し、第２連結具３２の第２係止受部材３２Ａと第２係止部材３２Ｂに、第１連結具３１に付したものとは異なる数字、記号、図形またはこれらの組み合わせを付してもよい。このように第１連結具３１と第２連結具３２に異なるマークを付すことによっても、第２蓋部２０とリュック本体部２の連結誤りを防ぐことができる。
【００５５】
図示していないが、リュックサック１を背負うために、リュック本体部２の背面側には、左右一対の背負いベルトが設けられる。
【００５６】
リュックサック１を背負っているときに、背負いベルトが肩から外れやすくなることを防ぐために、背負いベルト同士を互いに接続している補助ベルトが設けられていてもよい。
【００５７】
リュック本体部２の左右の側面には、ポケットが設けられていてもよい。図３に示すように、ポケットは、メッシュ生地から構成されていてもよい。
【００５８】
夜間使用時の安全性を高めるために、リュック本体部２、第１蓋部１０、または背負いベルトには反射板が取り付けられていてもよい。
【００５９】
本発明のリュックサック１は、例えば、サッカー、フットサル、バスケットボール、バレーボール、ハンドボール等の球技のスポーツ用具の持ち運びに好適に使用することができる。また、本発明のリュックサック１は、登山用としても使用することができる。その場合、ボール４０に代えて、第１蓋部１０と第２蓋部２０の間に例えばレインウェア、防寒着等を収納することができる。
【００６０】
以上のように、本発明のリュックサックは、上側に開閉口が形成されているリュック本体部と、リュック本体部に接続されており、開閉口を覆っている第１蓋部と、リュック本体部と第１蓋部を着脱自在に連結している第１連結具と、開閉口と第１蓋部の間に設けられており、少なくとも一部がメッシュ生地である第２蓋部と、第１蓋部と第２蓋部とを着脱自在に連結している第２連結具と、を有していることを特徴とする。リュックサックがこのような構成であることにより、第１蓋部と第２蓋部の間にボールを収納する空間を形成することができるため、第１蓋部と第２蓋部でボールを挟持することができ、リュック本体部の収納容量を維持しつつ、リュックサック内にボールを収納することができる。さらに、本発明のリュックサックは、第２蓋部が開閉口と第１蓋部の間に設けられているため、リュック本体部の開閉口から物を出し入れしている時でも、ボールを第１蓋部と第２蓋部との間に安全に保持することができる。
【符号の説明】
【００６１】
１：リュックサック
２：リュック本体部
３：開閉口
１０：第１蓋部
１１：第１蓋部の周縁部
１２：第１蓋部のポケット
２０：第２蓋部
２１：第２蓋部の周縁部
３１：第１連結具
３１Ａ：第１係止受部材
３１Ａａ：ベルト部
３１Ａｂ：係止受部
３１Ｂ：第１係止部材
３１Ｂａ：ベルト部
３１Ｂｂ：係止部
３２：第２連結具
３２Ａ：第２係止受部材
３２Ａａ：ベルト部
３２Ａｂ：係止受部
３２Ｂ：第２係止部材
３２Ｂａ：ベルト部
３２Ｂｂ：係止部
４０：ボール
【図１】
2019187916.tif 000003
【図２】
2019187916.tif 000004
【図３】
2019187916.tif 000005
【図４】
2019187916.tif 000006
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
上側に開閉口が形成されているリュック本体部と、
前記リュック本体部に接続されており、前記開閉口を覆っている第１蓋部と、
前記リュック本体部と前記第１蓋部を着脱自在に連結している第１連結具と、
前記開閉口と前記第１蓋部の間に設けられており、少なくとも一部がメッシュ生地である第２蓋部と、
前記第１蓋部と前記第２蓋部とを着脱自在に連結している第２連結具と、を有しており、
前記第２蓋部の周縁部に、前記メッシュ生地よりも伸長応力が小さい編布地が配されており、
前記第２連結具は、前記第１蓋部に接続されている第２係止受部材と、前記第２蓋部に接続されており、前記第２係止受部材と係合する第２係止部材と、を有し、
前記第２蓋部の前記編布地に、前記第２係止部材が接続されていることを特徴とするリュックサック。
【請求項２】
前記第１蓋部と前記第２蓋部との間にボールを収納した状態において、ボールの一部が前記第１蓋部および前記第２蓋部から露出している請求項１に記載のリュックサック。
【請求項３】
前記第１蓋部は、前記開閉口を覆ったときに外側に配される表面と、該表面と反対側であって、内側に配される裏面を有しており、
前記第２蓋部が、前記第１蓋部の前記裏面に接合されている請求項１または２に記載のリュックサック。
【請求項４】
前記第１蓋部の前記裏面にポケットが設けられている請求項３に記載のリュックサック。
【請求項５】
前記第１蓋部は、マチ部を有している請求項１〜４のいずれか一項に記載のリュックサック。
【請求項６】
前記第１連結具と前記第２連結具の色が異なっている請求項１〜５のいずれか一項に記載のリュックサック。
【請求項７】
前記第１連結具よりも前記第２連結具が大きい請求項１〜６のいずれか一項に記載のリュックサック。
【請求項８】
前記第１連結具は、前記第１蓋部に接続されている第１係止受部材と、前記リュック本体部に接続されており、前記第１係止受部材と係合する第１係止部材と、を有し、
前記第１係止受部材は、前記第２係止受部材よりも前記第１蓋部の周縁側に配されている請求項１〜７のいずれか一項に記載のリュックサック。